(57)【要約】【課題】  コンパクトで、大重量のディスプレイパネルの安定して支持可能であり、傾動・回動を軽快に行うことのできるディスプレイの支持装置を提供する。【解決手段】  略凹字状のブラケット部を有し装置全体を支持するスタンド部材と、ディスプレイ側に装着される取付部材と、スタンド部材と取付部材とを連結する１対のアーム部材と、スタンド部材の略凹字状のブラケット部の側壁部に、各アーム部材との連結点をなし、同軸上に並んで配設された１対のシャフトと、側壁部上方を連結する連結部材と、各シャフトに挿着するトーションスプリングとを備えるディスプレイの支持装置において、トーションスプリングの一端をブラケット部側に、他端をアーム部材に係止し、ディスプレイの重量によってアーム部材に作用するトルクを減殺する。【選択図】  図２
2005208080.tif 000002
【特許請求の範囲】
【請求項１】
略凹字状のブラケット部を有し装置全体を支持するスタンド部材と、
ディスプレイ側に装着される取付部材と、
前記スタンド部材と取付部材とを連結する１対のアーム部材と、
前記スタンド部材の略凹字状のブラケット部の側壁部に、前記各アーム部材との連結点をなし、同軸上に並んで配設された１対のシャフトと、
前記側壁部上方を連結する連結部材と、
前記各シャフトに挿着するトーションスプリングと、を有し、
前記トーションスプリングの一端を前記ブラケット部側に、他端を前記アーム部材に係止し、ディスプレイの重量によって前記アーム部材に作用するトルクを減殺したこと、
を特徴とするディスプレイ支持装置。
【請求項２】
装置全体を支持するスタンド部材と、
ディスプレイ側に装着される取付部材と、
前記スタンド部材に対して、回動自在に軸支される略凹字状のブラケット部材と、
前記ブラケット部材と取付部材とを連結する１対のアーム部材と、
前記ブラケット部材の側壁部に、前記各アーム部材との連結点をなし、同軸上に並んで配設された１対のシャフトと、
前記ブラケット部材の側壁部上方を連結する連結部材と、
前記各シャフトに挿着するトーションスプリングと、
前記トーションスプリングの一端を前記ブラケット部材側に、他端を前記アーム部材に係止し、ディスプレイの重量によって前記アーム部材に作用するトルクを減殺したこと、
を特徴とするディスプレイ支持装置。
【請求項３】
請求項１又は２に記載のディスプレイ支持装置において、
摩擦部材と、前記摩擦部材に所定の圧着荷重を付与するスプリングワッシャと、を各回動部に備えること、
を特徴とするディスプレイ支持装置。
【発明の詳細な説明】
【技術分野】
【０００１】
本発明は、ディスプレイの支持装置に関し、特に、台上に載置乃至据え付ける形式のディスプレイの支持装置に関する。
【背景技術】
【０００２】
薄型の液晶ディスプレイ（Liquid Crystal Display；LCD）やプラズマディスプレイパネル（Plasma  Display  Panel；PDP）を利用し、液晶テレビ、プラズマテレビが普及しつつある。これらは、薄型であることからして、机上、台上に設置する場合においても、省スペース性を発揮することができる。特に、液晶ディスプレイにおいては、その価格優位性とも相俟って、パーソナルコンピュータやカーナビゲーションシステム用の支持装置が普及しており、テレビにおいても同等の支持装置が用いられている。
【０００３】
更に、近年では、液晶ディスプレイやプラズマディスプレイの大型化が進んだこともあり、パネル面の向き（水平角・俯仰角）の変更が容易となるように、ディスプレイパネルの重量を考慮した支持装置も各種提案されている。例えば、特開２００１−１３４２００号公報には、ベース部のヒンジにコイルバネを仕込み、ディスプレイパネル及びアームの重量によるトルクと反対のトルクを与えるようにして、ディスプレイパネルの傾動操作を軽快に行うことのできるフラットパネルディスプレイ装置が紹介されている。また、特開２０００−３４７５８１号公報には、アーム部にバネ部材を仕込むと共に、このバネ部材の付勢力を増減自在とし、ディスプレイの重量変更に対応できるようにしたディスプレイ支持装置が紹介されている。
【０００４】
【特許文献１】特開２００１−１３４２００号公報
【特許文献２】特開２０００−３４７５８１号公報
【発明の開示】
【発明が解決しようとする課題】
【０００５】
しかしながら、テレビ用途の大型の液晶ディスプレイやプラズマディスプレイは、パネル自体の重量もさることながら、スピーカの設置や各種インタフェース等が存在するため、一般に大重量であり、パネル面の向き・角度の調整が困難となる。また、横長のワイド画面が標準であること、上記各種インタフェースのため基板等も幅方向に延在していることから、画面長手方向の端部に加えられた力に対して不安定となる。例えば、上記した各種支持装置では、支持装置自体を相応に大型化、ワイド化しない限り、大型かつワイドなディスプレイパネルにおける安定性と操作性を両立することは困難である。
【０００６】
本発明は、上記した事情を考慮してなされたものであって、その目的とするところは、コンパクトでありながら、大重量のディスプレイパネルを安定して支持可能であり、併せて、パネル面の向き（水平角・俯仰角）を軽快に変更可能とするディスプレイの支持装置を提供することにある。
【課題を解決するための手段】
【０００７】
前記課題を解決するための手段を提供する本発明の第１の視点によれば、ブラケット部を有するスタンド部材に、ディスプレイ側に装着される取付部材と、前記スタンド部材と取付部材とを連結する１対のアーム部材と、を有するディスプレイ支持装置において、前記スタンド部材の略凹字状のブラケット部の側壁部に、前記各アーム部材との連結点をなし、同軸上に並んで配設された１対のシャフトと、前記側壁部上方を連結する連結部材と、前記各シャフトに挿着するトーションスプリングと、を有する構成が提供される。前記トーションスプリングは、その一端を前記ブラケット部側に、他端を前記アーム部材に係止される。前記トーションスプリングは、ディスプレイの重量によって前記アーム部材に作用するトルクを減殺する。
【発明の効果】
【０００８】
本発明によれば、ディスプレイの向きを円滑かつ軽快に変更することが可能であり、安定してディスプレイパネルを支持することが可能となる。
【発明を実施するための最良の形態】
【０００９】
続いて、本発明の好適な実施の形態について説明する。本発明は、その好ましい形態において、装置全体を支持するスタンド部材（図１の１）と、ディスプレイ側に装着される取付部材（図１の２）と、スタンド部材に対して回動自在に軸支される略凹字状のブラケット部材（図１の３）と、ブラケット部材（図１の３）と取付部材（図１の２）とを連結する１対のアーム部材（図１の４ａ、４ｂ）と、ブラケット部材（図１の３）の側壁部に、前記各アーム部材との連結点をなし、同軸上に並んで配設された１対のシャフト（図１の５ａ、５ｂ）と、ブラケット部材（図１の３）の側壁部上方を連結する連結部材（図１の６）と、各シャフトに挿着するトーションスプリング（図１の７ａ、７ｂ）と、から構成される。
【００１０】
ブラケット部材（図１の３）は、スタンド部材（図１の１）に、摩擦ワッシャ（図１の８ｃ）と、スプリングワッシャ（図１の９ｃ）が介挿された垂直シャフト（図１の５ｃ）によって軸支されている。また、同様に、アーム部材（図１の４ａ、４ｂ）は、ブラケット部材（図１の３）の両側壁部に、摩擦ワッシャ（図１の８ａ、８ｂ）と、スプリングワッシャ（図１の９ａ、９ｂ）が介挿されたシャフト（図１の５ａ、５ｂ）によって軸支されている。更に、スタンド部材（図１の１）には、第１の摩擦プレート（図１の１１）が固着され、ブラケット部材（図１の３）には、第２の摩擦プレート（図１の１２）が固着されている。また、ブラケット部材（図１の３）及びアーム部材（図１の４ａ、４ｂ）には、トーションスプリング（図１の７ａ、７ｂ）の各端部が係止されている。
【００１１】
このようにしてなるディスプレイの支持装置は、パネル面を所定の方位に指向させるに際し、スプリングワッシャ（図１の９ｃ）によって所定の圧着荷重で圧着される第１、第２の摩擦プレート（図１の１１、１２）相互と、摩擦ワッシャ（図１の８ｃ）とブラケット部材（図１の３）の底部の摩擦面との間に生じる摩擦力を超えるモーメントを加えて、パネル面を所定の方位に指向させ、静止させることが可能である。また、パネル面を所定の角度で俯仰させるに際しては、スプリングワッシャ（図１の９ａ、９ｂ）によって所定の圧着荷重で圧着される摩擦ワッシャ（図１の８ａ、８ｂ）とブラケット部材（図１の３）側の摩擦面との間に生じる適当な摩擦力に対応するモーメントを加えて、パネル面を所定の範囲で俯仰させることが可能である。
【００１２】
また、ディスプレイの支持装置の各回動部は、摩擦ワッシャ（図１の８ａ、８ｂ、８ｃ）と、スプリングワッシャ（図１の９ａ、９ｂ、９ｃ）とを介した状態で回動するものとなっている。スプリングワッシャ（図１の９ａ、９ｂ、９ｃ）の圧着荷重を増減することで、より少ない当接面積で、適当な摩擦力を得ることが可能となっており、ディスプレイ装置自体をコンパクトに構成することが可能である。
【実施例】
【００１３】
続いて、本発明の一実施例について、図面を参照して詳細に説明する。図１は、本発明の一実施例に係るディスプレイ支持装置の正面図、図２は、図１のディスプレイ支持装置の側面図である。図３は、図１のディスプレイ支持装置のスタンド部材１の平面図である。図１乃至図３を参照すると、本実施例のディスプレイの支持装置は、主に、スタンド部材１と、スタンド部材１上に回動自在に軸支されたブラケット部材３と、ブラケット部材３の側壁部に軸支された左右一対のアーム部材４ａ、４ｂと、アーム部材４ａ、４ｂの端部に固着される取付部材２とからなっている。
【００１４】
スタンド部材１は、机上・台上等に設置するためのベース（図示せず）に固着するための孔を底部に有し、垂直シャフト５ｃの挿入孔となる変形の大孔１６と、水平回転角を制限するためのガイド孔１３とをその上面に備えている。スタンド部材１の上面には、スタンド部材１と同様の大孔１６とガイド孔１３とを有する摩擦プレート１１が載置され、垂直シャフト５ｃの大孔１６に適合する軸形状により固定される。摩擦プレート１１は、例えば、ステンレス鋼からなり、ブラケット部材３側の摩擦プレート１２との摩擦面を形成する。
【００１５】
ブラケット部材３は、ディスプレイの大きさや重量に応じて設定される幅の底部と、対向する側壁部とからなる略凹字状からなっている。ブラケット部材３の底部には、垂直シャフト５ｃの挿入孔となる大孔と、ガイド孔１３に対応するピン孔と、摩擦ワッシャ８ｃの掛止端と適合する小孔とが設けられている。ブラケット部材３の底部の下方（スタンド部材１側）には、ガイド孔１３に対応するピンを貫通する孔を有する摩擦プレート１２が固着され、ブラケット部材３の底部の上方には摩擦ワッシャ８ｃがその掛止端をブラケット部材３に挿入した状態で掛止される。摩擦ワッシャ８ｃ、摩擦プレート１２は、例えば、りん青銅からなり、摩擦プレート１２は、取付部材２側の摩擦プレート１１との摩擦面を形成する。このようにしてなるブラケット部材３の前記ピンがスタンド部材１と摩擦プレート１１のガイド孔１３に遊嵌するよう挿入される。この状態で、スタンド部材１の下方から、ブラケット部材３の底部の孔と変形の大孔１６を貫通するように垂直シャフト５ｃを挿入し、スプリングワッシャ９ｃ、押さえ用のワッシャ１０とを介して螺子止めする。従って、ブラケット部材３は、スタンド部材１と摩擦プレート１１のガイド孔１３の延在する範囲において、自由に回動させることが可能となっている。
【００１６】
一方、ブラケット部材３の側壁部外側には、埋め込み型のシャフト５ａ、５ｂが固着されている。また、ブラケット部材３の側壁部間の上方には、連結部材６が配設され、側壁部外側から螺子止めされる。
【００１７】
シャフト５ａ、５ｂには、まず内側に、トーションスプリング７ａ、７ｂが、それぞれ、挿入される。次いで、シャフト５ａ、５ｂには、アーム部材４ａ、４ｂのガイド孔１４に対応する掛止端を有するストッパー部材１５が軸止される。
【００１８】
アーム部材４ａ、４ｂは、ブラケット部材３側に、シャフト５ａ、５ｂの挿入孔となる大孔を有し、他端（取付部材２側）に取付部材２側から螺子止めするための螺子孔を有している。更に、アーム部材４ａ、４ｂの前記大孔周縁には、シャフト５ａ、５ｂに軸止されたストッパー部材１５と適合するガイド孔１４と、りん青銅からなる摩擦ワッシャ８ａ、８ａ’、８ｂ、８ｂ’の掛止端と適合する小孔とが設けられ、１対２組の摩擦ワッシャ８ａ、８ａ’、８ｂ、８ｂ’がそれぞれ、両側から掛止される。アーム部材４ａ、４ｂは、ガイド孔１４に前記ストッパー部材の掛止端が遊嵌するよう、シャフト５ａ、５ｂに挿着され、スプリングワッシャ９ａ、９ｂ、押さえ用のワッシャ１０を介して螺子止めされる。従って、アーム部材４ａ、４ｂは、ガイド孔１４の延在する範囲において、自由に回動させることが可能となっている。
【００１９】
取付部材２は、液晶ディスプレイやプラズマディスプレイの背面部に適合する金物である。
【００２０】
トーションスプリング７ａ、７ｂは、図２に表れたように、その一端がアーム部材に係止され、他の一端が、ブラケット部材３に係止される。トーションスプリング７ａ、７ｂの材質、線径、巻き数、巻き方向トルク、戻し方向トルク、ばね応力等の諸元は、液晶ディスプレイやプラズマディスプレイの重量、アーム部材４ａ、４ｂの長さ等によって決定されるアーム部材４ａ、４ｂに作用するトルクと逆方向同等のトルクがアーム部材に与えられるよう決定される。
【００２１】
続いて、以上の構成からなるディスプレイ支持装置は、所定の初期状態（図２参照）にあるパネル面を、スタンド部材１及びアーム部材４ａ、４ｂに設けられたガイド孔により規制される範囲において、俯仰・回転自在となっている。特に俯仰させる場面においては、２つのトーションスプリング７ａ、７ｂによってディスプレイの重量によるトルクが相殺されているため、軽快に該操作を行うことができる。勿論、上記したとおり、各回動部には、スプリングワッシャによって、適当な圧着荷重が与えられた摩擦部材（ワッシャ、プレート）により適切なトルクフリクションが得られるようになっているため、微調整等も容易となっている。
【００２２】
加えて、以上の作用効果を得ることのできる、上記実施例のディスプレイ支持装置は、図１、図２に表れたとおり、そのスタンド部材１の大きさをコンパクトにすることができる。従って、既存の小型の液晶ディスプレイ用の支持装置と同様の製品フォルムを採ることが可能となる。勿論、スタンド部材１の形状は、図１、図２に示したものに限られず、その他の形状が採用可能である。
【００２３】
更に、上記した実施例のディスプレイ支持装置においては、ブラケット部材３の側壁部を連結する連結部材６を備え、大重量のパネル面の操作に耐えうる十分な強度を具備するものとなっており、ブラケット部材３の側壁部の変形等が防止される。また、上記した実施例においては、連結部材６をブラケット部材３の側壁部内側に配し、両側から螺子止めするものとしているが、ブラケット部材の上部開放部を掩蔽するような部材を用いて、同様に螺子止め連結する等、その他同等の連結手段を採用可能である。
【００２４】
また、上記した実施例のディスプレイ支持装置においては、スタンド部材１及びアーム部材４ａ、４ｂに設けられたガイド孔１３、１４を設けて、パネル面の俯仰・回転角度を所定の範囲に規制する構成としているが、薄型ディスプレイの用途や取り付け位置に応じて、パネル面の俯仰・回転角度の上記規制を行わないものとしてもよい。
【００２５】
また、上記した実施例のディスプレイ支持装置においては、各回動部にりん青銅からなる摩擦ワッシャ８ａ、８ａ’、８ｂ、８ｂ’、８ｃを配して、適当なトルクフリクションを得られるように構成したが、りん青銅に代えてその他の材質を用いてもよいし、ばね等その他のトルクフリクション獲得要素を用いてもよい。
【図面の簡単な説明】
【００２６】
【図１】本発明の一実施例に係るディスプレイ支持装置の平面図である。
【図２】本発明の一実施例に係るディスプレイ支持装置の側面図である。
【図３】本発明の一実施例に係るディスプレイ支持装置のスタンド部材１の平面図である。
【符号の説明】
【００２７】
１  スタンド部材
２  取付部材
３  ブラケット部材
４ａ、４ｂ  アーム部材
５ａ、５ｂ  シャフト
５ｃ  垂直シャフト
６  連結部材
７ａ、７ｂ  トーションスプリング
８ａ、８ａ’、８ｂ、８ｂ’、８ｃ  摩擦ワッシャ
９ａ、９ｂ、９ｃ  スプリングワッシャ
１０  ワッシャ
１１、１２  摩擦プレート
１３、１４  ガイド孔
１５  ストッパー部材
１６  大孔
【図１】
2005208080.tif 000003
【図２】
2005208080.tif 000004
【図３】
2005208080.tif 000005